(57)【特許請求の範囲】
【請求項１】
波長多重された光信号を波長によって分離する周期性を有する光分波手段と、前記光分波手段により分離されたそれぞれの光信号のうち分岐挿入が必要なチャネルについて分岐挿入を選択的に行う光分岐挿入手段と、通過するチャネルについて信号を通過させる信号通過手段と、前記光分岐挿入手段ならびに前記信号通過手段からの光信号を波長多重する周期性をもつ光合波手段を有する光分岐挿入伝送装置であって、
少なくとも前記光分波手段として、入出力特性に、所定数毎の周期性を有する光分波手段を用い、
前記光分波手段の入力側に１入力で複数出力を持つ前段光スイッチの各出力ポートを接続するとともに、前記光分波手段並びに前記光合波手段として、
（ａ−ｂ＋１＋ｄ）ｍｏｄ  ｄ＝ｃ
但し、左辺＝０の場合には、ｃ＝３２とする。
また、ａ：出力ポート番号
ｂ：入力ポート番号
ｃ：信号波長
ｄ：フィルターの周期
なる関係を有する特性または該特性のもののポート番号の付け替えを行った特性を有するものを用いることを特徴とする光分岐挿入伝送装置。
【請求項２】
波長多重された光信号を波長によって分離する周期性を有する光分波手段と、前記光分波手段により分離されたそれぞれの光信号のうち分岐挿入が必要なチャネルについて分岐挿入を選択的に行う光分岐挿入手段と、通過するチャネルについて信号を通過させる信号通過手段と、前記光分岐挿入手段ならびに前記信号通過手段からの光信号を波長多重する周期性を持つ光合波手段を有する光分岐挿入伝送装置であって、
少なくとも前記光分波手段として、入出力特性に、所定数毎の周期性を有する光分波手段を用い、
前記光分波手段の入力側に１入力で複数出力を持つ前段光スイッチの各出力ポートを接続するとともに、前記光分波手段として、
（ａ−ｂ＋１＋ｄ）ｍｏｄ  ｄ＝ｃ
但し、左辺＝０の場合には、ｃ＝３２とする。
また、ａ：出力ポート番号
ｂ：入力ポート番号
ｃ：信号波長
ｄ：フィルターの周期
なる関係を有する特性または該特性のもののポート番号の付け替えを行った特性を有するものを用い、前記光合波手段として光カプラを用いることを特徴とする光分岐挿入伝送装置。
【請求項３】
請求項１に記載の光分岐挿入伝送装置において、
前記光合波手段の出力側に、複数入力１出力の後段光スイッチの各入力ポートを接続することを特徴とする光分岐挿入伝送装置。
【請求項４】
請求項１に記載の光分岐挿入伝送装置において、
ｍ（ｍは１以上の整数）を入出力特性に周期性を有する前記光分波手段の入力ポート数、および前記光合波手段の出力ポート数、ｎ（ｎは２以上の整数）を前記前段光スイッチの出力ポート数もしくは前記後段光スイッチの入力ポート数とするとき、
０＋ｉ×ｊ、１＋ｉ×ｊ、２＋ｉ×ｊ、・・・（ｉ−１）＋ｉ×ｊ、（但しｉ，ｊは整数、ｉはｍの約数、ｊは０以上の整数）番目の波長を持つｉ個の光信号の分岐挿入並びに通過の選択が可能となり、前記光スイッチの接続状態の変更によりその特性を変更可能であり、また、その他の光信号については通過のみが可能であることを特徴とする光分岐挿入伝送装置。
【請求項５】
請求項１に記載の光分岐挿入伝送装置において、
ｍ（ｍは１以上の整数）を入出力特性に周期性を有する前記光分波手段の入力ポート数および光合波手段の出力ポート数、ｎ（ｎは２以上の整数）を前記前段光スイッチの出力ポート数もしくは前記後段光スイッチの入力ポート数とするとき、
ｐ＋ｉ×０、ｐ＋ｉ×１、ｐ＋ｉ×２、・・・ｐ＋ｉ×（ｍ−１）、（但しｐ，ｉは整数、ｐは０以上ｍ未満の整数）番目の波長を持つｍ個の光信号の分岐挿入並びに通過の選択が可能となり、前記光スイッチの接続状態の変更によりその特性を変更可能であり、また、その他の光信号については通過のみが可能であることを特徴とする光分岐挿入伝送装置。
【請求項６】
請求項２に記載の光分岐挿入伝送装置において、
ｍ（ｍは１以上の整数）を入出力特性に周期性を有する前記光合波手段の入力ポート数および前記光合波手段の出力ポート数、ｎ（ｎは２以上の整数）を前記光スイッチの出力ポート数とするとき、
０＋ｉ×ｊ、１＋ｉ×ｊ、２＋ｉ×ｊ、・・・（ｉ−１）＋ｉ×ｊ、（但しｉ，ｊは整数、ｉはｍの約数、ｊは０以上の整数）番目の波長を持つｉ個の光信号の分岐挿入並びに通過の選択が可能となり、前記光スイッチの接続状態の変更によりその特性を変更可能であり、また、その他の光信号については通過のみが可能であることを特徴とする光分岐挿入伝送装置。
【請求項７】
請求項２に記載の光分岐挿入伝送装置において、
ｍ（ｍは１以上の整数）を入出力特性に周期性を有する前記光合波手段の入力ポート数および前記光合波手段の出力ポート数、ｎ（ｎは２以上の整数）を前記光スイッチの出力ポート数とするとき、
ｐ＋ｉ×０、ｐ＋ｉ×１、ｐ＋ｉ×２、・・・ｐ＋ｉ×（ｍ−１）、（但しｐ，ｉは整数、ｐは０以上ｍ未満の整数）番目の波長を持つｍ個の光信号の分岐挿入並びに通過の選択が可能となり、前記光スイッチの接続状態の変更によりその特性を変更可能であり、また、その他の光信号については通過のみが可能であることを特徴とする光分岐挿入伝送装置。
【請求項８】
請求項１〜７のいずれか１項に記載の光分岐挿入伝送装置において、
前記光分岐挿入装置において、光信号送信手段として可変波長光源を用いることを特徴とする光分岐挿入伝送装置。
【請求項９】
請求項１〜７のいずれか１項に記載の光分岐挿入伝送装置において、
前記光分波手段として、ＡＷＧを用いることを特徴とする光分岐挿入伝送装置。
【発明の詳細な説明】
【０００１】
【発明の属する技術分野】
本発明は、光通信網に用いる光挿入伝送装置に関し、特に、光配線の変更を行うことなしに、所望のチャネルを分岐挿入することが可能な光挿入伝送装置に関する。
【０００２】
【従来の技術】
従来の光分岐挿入装置の構成例と、そのパッケージ実装について説明する。
図８は、光分岐挿入装置に用いる光分岐挿入手段の構成と光送受信手段との接続を示している。図８中、２０は１入力２出力の光スイッチ、２１は２入力１出力の光スイッチ、２２は光分岐挿入手段、２３は光送受信手段である。光分岐挿入手段２２の入力は光スイッチ２０と接続され、光スイッチ２０の１出力は光スイッチ２１の１つの入力に接続されている。光スイッチ２０の他方の出力は光送受信手段２３の光受信手段に接続され、光スイッチ２１の他方の入力は光送受信手段２３の光送信手段に接続されている。光スイッチ２１の出力は光分岐挿入手段２２の出力となっている。
なお、従来から、１つもしくは複数の光分岐挿入手段を１パッケージとして実装することが行われていた。
以下では、従来例をタイプ１からタイプ３の３つに分類して説明する。
【０００３】
タイプ１としたものは、図９に示すような、１つの光分岐挿入手段を１パッケージとして実装した、３２チャネルの光分岐挿入装置の従来例である。光分岐挿入装置は、光分波手段（図中、ＤＥＭＵＸ）１と、光分岐挿入手段２−１から２−３２と、光合波手段（図中、ＭＵＸ）３と、光送受信手段（図１の構成例では省略されている）からなる。
波長多重された信号を光分波手段１により波長毎に分離し、各々のうち所望の信号のみを光分岐挿入手段２により分岐挿入する。そして、再び光合波手段３により合波して送信する。
【０００４】
タイプ１の実装例について説明する。
通常、光伝送装置は複数のパッケージに分割されて実装されている。そして、そのパッケージをユニット枠に挿入し、さらに複数のユニット枠を架に収納する。光伝送装置は１つないし複数の架から構成されている。パッケージ間の光配線は、光ファイバコードまたはそれに準じた方法により行われている。
タイプ１の場合の実装例について説明する。
図９は、上のユニット枠にチャネル毎の光分岐挿入手段をパッケージ化（合計３２パッケージ）して実装し、下のユニット枠には光送受信手段をパッケージ化して実装した（合計６パッケージ）例である。
【０００５】
ユニット間を光配線で接続する場合、所望のチャネルに対応した光送受信手段を所望のパッケージに個別に接続する必要がある。
また、多くの場合、光送受信手段は１つの信号光波長に対応するものであり、多種類の光送受信手段を準備する必要があった。また、配線は分岐挿入チャネル構成に応じて個別に対応することが必要であり、しかも複雑であった。また、装置を通過するだけのチャネルにも分岐挿入するためのスイッチを準備しなければならず、それに応じてパッケージに光コネクタを実装することが必須であるために、それがパッケージ全体の体積を増す原因となっていた。
【０００６】
次に、タイプ２の従来例について説明する。
図１０において、４は光分波手段、５は複数の光分岐挿入手段を１つのパッケージに実装した光分岐挿入アレイパッケージ、６は光合波手段である。機能はタイプ１と同等であるが、実装パッケージ数を減少するために光分岐挿入手段をアレイ化して実装している。例えば、図１０の例では、４チャネルを１パッケージに実装しているので、３２チャネルのシステムでは８パッケージ必要である。この例でも、パッケージ数は少なくなるものの、光配線，パッケージ実装体積，光送受信手段の種類数については、タイプ１と同等の課題を残している。
【０００７】
次に、タイプ３の従来例について説明する。
図１１において、７は光分波手段、８はアレイ化分岐挿入手段もしくはアレイ化信号通過手段、９は光合波手段である。この例では、光分岐挿入が必要なチャネルの分だけアレイ化分岐挿入手段（図中：ｆで示している、図１０も同様）を準備し、通過するチャネルについては通過チャネル用パッケージ（図中：ｒで示している）を準備する構成である。
図８には、光分岐挿入手段を示しているが、通過チャネル用のパッケージは、手段内の２つの光スイッチを省略したパッケージとなる。通常、光分岐挿入手段を実装したパッケージには信号監視、光信号レベル調整などの機能が合わせて実装されているので、通過信号用のパッケージには光を分岐挿入する以外の機能の部分については実装されることになる。
【０００８】
但し、これらの機能が他のパッケージで実現されている場合には、通過信号用のパッケージには特に必要ではないので、光ファイバコードだけで代用できる。この例の場合には、光配線の複雑さ、光送受信手段の種類数については緩和されないものの、パッケージ実装体積を増す要因である不要な光コネクタや不要な光分岐挿入手段を少なく抑えることで、少体積化を実現することができる（パッケージ実装図ではそのように示されていないが）。ただし、タイプ３の場合、装置の導入時に予め設定したチャネルの分岐挿入のみが可能となる点が、他２つの従来例に対して劣る点である。ただしこの点は光分岐挿入装置の利用形態を考えれば頻繁にネットワークの構成を変更しない限り、致命的な欠陥とはならない。
【０００９】
前述の光送受信手段の種類数については、送信光源として可変波長光源を利用することで解決可能であるが、現状では広い可変範囲（例えば本実施例では３２チャネルを前提にしているが、その全ての波長を出力可能なもの）を持つ可変波長光源の価格，信頼性を鑑みるに、現実的な解決方法とはならない。しかしながら、限定された可変範囲（例えば、３２チャネルのうち数チャネルの波長の出力が可能なもの）の可変波長光源を利用するならば、パッケージ種数を減らすことも可能である。
【００１０】
なお、上記従来技術に関しては、例えば、ＲＡＪＩＶ  ＲＡＭＡＳＷＡＭＩ等による”Ｏｐｔｉｃａｌ  Ｎｅｔｗｏｒｋｓ  Ａ  Ｐｐａｃｔｉｃａｌ  Ｐｅｒｓｐｅｃｔｉｖｅ  ”（ＩＳＢＮ  １−５５８６０−４４５−６，Ｍｏｒｇａｎ  Ｋａｕｆｍａｎｎ  Ｐｕｂｌｉｓｈｅｒｓ  Ｉｎｃ．、１９９８）のＰ−３３３の記載を参考にすることができる。
【００１１】
【発明が解決しようとする課題】
図１２と図１３を用いて発明の解決すべき課題について説明する。
図１２は、チャネル（ＣＨ）１〜３の３つの波長のうちＣＨ１のみが分岐挿入可能な光分岐挿入装置である。図１２並びに図１３において、５０は光分波手段、５１−１は分岐挿入スイッチ、５１−２と５１−３は信号通過手段、５２は光合波手段である。光分波手段５０、光合波手段５２としてＡＷＧ（Ａｒｒａｙｅｄ  Ｗａｖｅｇｕｉｄｅ  Ｇｒａｔｉｎｇ）を用いるとし、そのＡＷＧが光分波手段５０、光合波手段５２の両方に用いるものが、例えば、図１４に示す通りの特性を持つとする。
【００１２】
図１２の例では、光分波手段５０の入力として入力ポート１を用い、出力としてＡＷＧの出力ポート１から３を、出力ポート１からＣＨ１、同２からＣＨ２、同３からＣＨ３を出力する。ＣＨ１は分岐挿入手段５１−１に入力され、分岐挿入が行われる。ＣＨ２とＣＨ３は、信号通過手段５１−２，５１−３のそれぞれに入力され、信号通過手段の処理が行われた後に出力される。ＣＨ１は光合波手段５２の入力ポート１に、ＣＨ２は同２に、ＣＨ３は同３に入力され、合波されて出力ポート１から出力される。
【００１３】
なお、図１２は、ＣＨ１を分岐挿入する構成例であったが、図１３ではＣＨ３を分岐挿入する構成に変更した場合を示している。各々のパッケージの挿入位置を変更しないとすると、光配線を変更して図１３に示す通りに配線すればよい。しかしながら、光配線を変更することによって分岐挿入可能なチャネルの変更を行う方法は、チャネル数が多い場合には煩雑であった。
【００１４】
本発明の目的は、従来の技術における上述のような問題を解消し、光配線の変更を行うことなしに、所望のチャネルを分岐挿入することが可能な光挿入伝送装置を提供することにある。
【００１５】
【課題を解決するための手段】
上記目的を達成するため、本発明の光分岐挿入伝送装置は、波長多重された光信号を波長によって分離する周期性を有する光分波手段と、前記光分波手段により分離されたそれぞれの光信号のうち分岐挿入が必要なチャネルについて分岐挿入を選択的に行う光分岐挿入手段と、通過するチャネルについて信号を通過させる信号通過手段と、前記光分岐挿入手段ならびに前記信号通過手段からの光信号を波長多重する周期性をもつ光合波手段を有する光分岐挿入伝送装置であって、
少なくとも前記光分波手段として、入出力特性に、所定数毎の周期性を有する光分波手段を用い、
前記光分波手段の入力側に１入力で複数出力を持つ前段光スイッチの各出力ポートを接続するとともに、前記光分波手段並びに前記光合波手段として、
（ａ−ｂ＋１＋ｄ）ｍｏｄ  ｄ＝ｃ
但し、左辺＝０の場合には、ｃ＝３２とする。
また、ａ：出力ポート番号
ｂ：入力ポート番号
ｃ：信号波長
ｄ：フィルターの周期
なる関係を有する特性または該特性のもののポート番号の付け替えを行った特性を有するものを用いることを特徴とする。
【００１６】
また、本発明に係る光分岐挿入伝送装置は、波長多重された光信号を波長によって分離する周期性を有する光分波手段と、前記光分波手段により分離されたそれぞれの光信号のうち分岐挿入が必要なチャネルについて分岐挿入を選択的に行う光分岐挿入手段と、通過するチャネルについて信号を通過させる信号通過手段と、前記光分岐挿入手段ならびに前記信号通過手段からの光信号を波長多重する周期性を持つ光合波手段を有する光分岐挿入伝送装置であって、
少なくとも前記光分波手段として、入出力特性に、所定数毎の周期性を有する光分波手段を用い、
前記光分波手段の入力側に１入力で複数出力を持つ前段光スイッチの各出力ポートを接続するとともに、前記光分波手段として、
（ａ−ｂ＋１＋ｄ）ｍｏｄ  ｄ＝ｃ
但し、左辺＝０の場合には、ｃ＝３２とする。
また、ａ：出力ポート番号
ｂ：入力ポート番号
ｃ：信号波長
ｄ：フィルターの周期
なる関係を有する特性または該特性のもののポート番号の付け替えを行った特性を有するものを用い、前記光合波手段として光カプラを用いることを特徴とする。
【００１７】
また、本発明に係る光分岐挿入伝送装置は、前記光合波手段の出力側に、複数入力１出力の後段光スイッチの各入力ポートを接続することを特徴とする。
【００１８】
以下、図１，図２を用いて、課題を解決する方法について述べる。
図１２，図１３と同様に、ＣＨ１からＣＨ３までの３波長を多重された信号から、ＣＨ１，ＣＨ３を分岐挿入する例を示す。図１２，図１３に示した例では、光配線の変更が必須であったが、本構成例では配線を変更することなく、光スイッチの設定変更を行うのみで、所望の信号を分岐挿入できる。
図１，図２において６０は１入力３出力の光スイッチ、６１は周期性を持つ光分波手段、６２−１は光分岐挿入手段、６２−２，６２−３は信号通過手段、６３は周期性を持つ光合波手段、６４は３入力１出力の光スイッチである。
【００１９】
周期性をもつ光合波手段６３並びに周期性を有する光分波手段６１の入出力特性は、たとえば、図１４に示す通りである。以下、動作を説明する。
図１、図２において、波長多重された信号が入力される。光スイッチ６０の出力ポート１は光分波手段６１の入力ポート１に、同６０の出力ポート２は６１の入力ポート２に、同６０の出力ポート３は６１の入力ポート３に、それぞれ接続されている。光分波手段６１の出力ポート１は光分岐挿入手段６２−１を経由して、光合波手段６３の入力ポート１に接続され、出力ポート２は信号通過手段６２−２を経由して、光合波手段６３の入力ポート２に接続され、出力ポート３は信号通過手段６２−３を経由して、光合波手段６３の入力ポート３に接続されている。
【００２０】
また、光合波手段６３の出力ポート１は光スイッチ６４の入力ポート１に、出力ポート２は光スイッチ６４の入力ポート２に、出力ポート３は光スイッチ６４の入力ポート３に接続されている。光スイッチ６４の出力ポートからは、所望のチャネルを分岐挿入された後の信号を出力される。
図１の例では、ＣＨ１を分岐挿入するために光スイッチ６０は出力ポート１、光スイッチ６４は入力ポート１をそれぞれ選択している。また、図２の例ではＣＨ３を分岐挿入するために光スイッチ６０は出力ポート３、光スイッチ６４は入力ポート３をそれぞれ選択している。
【００２１】
本発明においては、このように、光スイッチ６０，６４を挿入し、周期性を有する光合分波手段を用いることで、従来では煩雑であった光配線の変更を行うことなく、所望のチャネルを分岐挿入することができる。
【００２２】
【発明の実施の形態】
以下、本発明の実施の形態を、図面に示す好適実施例に基づいて、詳細に説明する。
【００２３】
〔実施例１〕
本実施例では、従来例での説明に合わせ、チャネル数３２、４つの分岐手段をアレイ化した場合について説明する。
図３に示す実施例で、１０は１入力８出力の光スイッチ、１１は周期的特性を有する光分波手段、１２はアレイ化分岐挿入手段、１３は周期的特性を有する光合波手段、１４は８入力１出力の光スイッチである。１１の周期的特性を有する光分波手段、並びに１３の周期的特性を有する光合波手段は、前述のＡＷＧを用いることで実現可能である。
【００２４】
図４に、周期的特性を有する光合波手段もしくは光分波手段の入出力特性の一例を示す。図４に示す例は、所定の入力ポートと所定の出力ポートを通過できる信号波長を示している。例えば、入力ポート５番から波長１６を入力した場合は、出力ポートの２０番に出力されるというように解釈する。本実施例では、光分波手段１１、光合波手段１３のそれぞれが、図４の入出力特性に従うとする。光スイッチ１０の８つの出力を、周期性のある分波手段１１の１，５，９，１３，１７，２１，２５，２９番の入力ポートに接続する。この接続は４ポートおきであれば、どのように接続してもよい。
【００２５】
周期的特性のある光分波手段１１の出力には、アレイ化分岐挿入手段、アレイ化信号通過手段のいずれかが接続される。また、アレイ化分岐挿入手段、アレイ化信号通過手段の出力には、周期的特性を有する光合波手段１３の入力ポートが接続される（このとき、光分波手段のポートａ（ａは１から３２の整数）は分岐挿入手段、通過手段を通じて光合波手段の入力ポートａに接続されること）。周期性を有する光合波手段１３の出力ポート１，５，９，１３，１７，２１，２５，２９（この接続は、光スイッチ１０と光分波手段１１との間の接続と同じポート番号のものを接続すること）を、光スイッチ１４に接続する。このように接続された場合、光スイッチ１０と１４は、同じポート番号を選択するよう制御する。
【００２６】
このように光回路を構成した場合の動作について説明する。
波長多重された信号が光スイッチ１０に入力され、光スイッチ１０で選択された周期性のある光分波手段１１に入力される。光分波手段１１では、それぞれの単一波長の信号に分波され、分岐挿入手段１２−１もしくは信号通過手段１２−２，１２−３に送られる。分岐挿入手段では、分岐挿入されるか通過するかの設定に従って処理され、信号通過手段では光信号を光合波手段に送る。光合波手段１３では、入力された全ての信号を１つの出力ポートに出力する。光スイッチ１４では、光合波手段２３の出力のうち、信号が出力されるポートを選択、出力する。
【００２７】
〔実施例２−１〕
実施例１を一般化する。周期的特性を有する光分波手段，周期的特性を有する光合波手段のポート数をｊ（ｊは整数）、アレイ化する分岐挿入手段の数をｉ（ｉはｌからｊまでの整数で、ｊの約数）とする。
図５に、本実施例の構成図を示す。図５で、２０はｌ入力ｋ（＝ｊ／ｉ）出力の光スイッチ、２１は周期的特性を有する光分波手段（ポート数ｊ）、２２はアレイ化（アレイ化されていなくてもよい）光分岐手段もしくはアレイ化（アレイ化されていなくてもよい）信号通過手段、２３は周期的特性を有する光合波手段（ポート数ｊ）、２４はｋ入力ｌ出力の光スイッチである。
【００２８】
光スイッチ２０の出力と光分波手段２１の入力ポートｐ＋ｍ×ｉ（ｍは０以上ｋ−１以下のｋ個の整数、ｐは１以上ｉ以下の任意の１つの整数）番のｋ個のポートに接続される。光分波手段２１の出力ポートｎ番には、（アレイ化）分岐導入手段、もしくは信号通過手段を通じて光合波手段２３の入力ポートｎ番に接続される。光合波手段２３のこの出力ポートｐ＋ｍ×ｉ（ｍは０以上ｋ−１以下の整数）番のそれぞれは、ｋ入力１出力の光スイッチ２４の入力ポートに接続される。本実施例の場合、入力側の光スイッチ２０と出力側の光スイッチ２４とが同一ポート番号を選択することで、光分岐挿入回路を構成できる。
【００２９】
〔実施例２−２〕
実施例２−１において、光合波手段以降は全ての信号を集めて出力する機能を提供すればよいので、光カプラで合波する実施例について説明する。
周期的特性を有する光分波手段、周期的特性を有する光合波手段のポート数をｊ（ｊは整数）、アレイ化する分岐挿入手段の数をｉ（ｉは１からｊまでの整数で、ｊの約数）とする。
【００３０】
図６で、３０は１入力ｋ（＝ｊ／ｉ）出力の光スイッチ、３１は周期的特性を有する光分波手段（ポート数ｉ）、３２はアレイ化（アレイ化されていなくてもよい）光分岐手段もしくはアレイ化（アレイ化されていなくてもよい）信号通過手段、３３は光合波手段（光カプラなど）である。
光スイッチ３０の出力は、光分岐手段３１の入力ポートｐ＋ｍ×ｉ（ｍは０以上ｋ−１以下ｋ個の整数、ｐは１以上ｉ以下の任意の１つの整数）番のｋ個のポートに接続される。光分波手段３１の出力ポートｎ番には、（アレイ化）分岐挿入手段、もしくは信号通過手段を通じて光合波手段３３の入力ポートに接続される。
【００３１】
〔実施例２−３〕
実施例１の配線方法を変更することで、以下の通りの構成が可能となる。光スイッチの選択状態にもよるが、実施例１の配線方法では、波長１〜４の光信号が分岐挿入手段に、波長５〜３２の光信号が信号通過手段に接続されている。配線方法を修正することで、例えば、波長１，９，１７，２５のように等間隔に分岐挿入されるべき信号を選択することができる。一般には、光合分波器の周期性（ｊ周期）を用いて、ｉ，ｉ＋１，・・・ｉ＋ｊ＋ｋ（ｉは１以上ｊ未満の整数、ｊは整数、ｋは０以上の整数）番目の波長を持つ光信号を分岐挿入手段に接続し、それ以外を信号通過手段に接続する場合（チャネル構成１）と、ｐ＋ｍ×ｉ（ｐは１以上ｊ未満の整数、ｍは整数、ｉは０以上の整数）番目の波長を持つ光信号を分岐挿入手段に接続し、その他の信号を信号通過手段に接続する場合（チャネル構成２）が考えられる。
【００３２】
〔実施例３〕
実施例１並びに２に挙げられた分岐挿入装置の構成をとる場合において、限定された可変範囲を持つ可変長光源を備えた光送信装置を用いる場合についての実施例を説明する。
図７において、４０は実施例１並びに２に示したと同じ光分岐挿入装置、４１は光信号受信手段、４２は限定された可変範囲を持つ可変波長光源を備えた光信号送信手段である。
【００３３】
波長多重された光信号は光分岐挿入装置４０に入力され、分波された後、必要なチャネルのみが分岐挿入手段により分岐されて光信号受信手段４１で受信される。挿入すべき光信号は光信号送信手段４２にて生成され、前記分岐挿入手段により挿入され、光分岐挿入回路４０によって他の光信号と波長多重され、出力される。限定された可変範囲を持つ可変波長光源を備えた光送信手段４２は、ｉ，ｉ＋１，・・・ｉ＋ｊ＋ｋ（ｉは１以上ｊ未満の整数、ｊは整数、ｋは０以上の整数）番目の波長を持つ信号を送信することが可能であるか、もしくはｐ＋ｍ×ｉ（ｐはｍ未満の整数、ｍは整数、ｉは０以上の整数）番目の波長を持つ光信号を出力可能なものを用いる。
【００３４】
上記実施例によれば、下記の効果を得ることができる。すなわち、従来の光分岐挿入装置では、その装置で分岐挿入を行うチャネルに応じて装置構成を変更する必要があり、その装置実装、光配線は複雑になるという問題があった。本発明では、周期性を有する光合分波手段と、その前後に配置された光スイッチによって、合分波特性をシフトさせることにより固定のパッケージ位置に、分岐挿入手段並びに信号通過手段を配置することを可能にし、あわせて、従来複雑であった光配線を固定的に配線することを可能にしたので、光配線を簡単化することが可能となる。
【００３５】
また、従来においては、可変波長光源を備えた送信光源を用いても、構成変更するには光配線を変更することが必須であったが、本発明によれば制限付きであるものの、光配線を変更することなく構成変更を可能にする光分岐挿入装置を提供することができる。但し、構成変更の制限については、光分岐挿入装置を用いた通信網の構成変更を頻繁に行わないものならば、欠陥になることはない。
【００３６】
実施例３で挙げた可変波長光源を用いる例では、光分岐挿入回路と光送受信手段との間の光配線を簡略化でき、また、固定の波長の送信光源を用いる場合で、固定光配線を用いる際には、光送受信手段のパッケージ挿入位置が限定されてしまうが、実施例３の場合には位置の依存性は小さくなる。
なお、上記実施例はいずれも本発明の一例を示すものであり、本発明はこれらに限定されるべきものではない。
【００３７】
【発明の効果】
以上、詳細に説明したように、本発明によれば、光配線の変更を行うことなしに、所望のチャネルを分岐挿入することが可能な光挿入伝送装置を実現できるという顕著な効果を奏するものである。
【図面の簡単な説明】
【図１】本発明の光分岐挿入装置による分岐挿入の処理例を示す図である。
【図２】本発明の光分岐挿入装置による分岐挿入変更の処理例を示す図である。
【図３】実施例１の構成例を示す図である。
【図４】周期性を有する光分波手段の入出力特性例を示す図である。
【図５】実施例２の構成例を示す図である。
【図６】実施例２−３の構成例を示す図す図である。
【図７】実施例３の構成例を示す図である。
【図８】光分岐挿入手段と光送受信手段の接続例を示す図である。
【図９】従来の光分岐挿入装置構成例を示す図（その１）である。
【図１０】従来の光分岐挿入装置構成例を示す図（その２）である。
【図１１】従来の光分岐挿入装置構成例を示す図（その３）である。
【図１２】従来の光分岐挿入装置による分岐挿入の処理例を示す図である。
【図１３】従来の光分岐挿入装置による分岐挿入変更の処理例を示す図である。
【図１４】周期性を有する光分波手段の入出力特性例を示す図である。
【符号の説明】
１０  １入力８出力の光スイッチ
１１  周期的特性を有する光分波手段
１２  アレイ化分岐挿入手段
１３  周期的特性を有する合波手段
１４  ８入力１出力の光スイッチ
２０  １入力２出力の光スイッチ
２１  ２入力１出力の光スイッチ
２２  光分岐挿入手段
２３  光送受信手段
２４  ｋ入力ｌ出力の光スイッチ
３０  ｌ入力ｋ（＝ｊ／ｉ）出力の光スイッチ
３１  周期的特性を有する分波手段（ポート数ｊ）
３２  アレイ化（アレイ化されていなくてもよい）分岐挿入手段もしくはアレイ化（アレイ化されていなくてもよい）信号通過手段
３３  光合成手段
４０  光分岐挿入回路
４１  光信号受信手段
４２  可変波長光源を備えた光信号送信手段
６０  １入力３出力の光スイッチ
６１  周期性を有する光分波手段
６２−１  光分岐挿入手段
６２−２，６２−３  信号通過手段
６３  周期性を有する光合波手段
６４  ３入力１出力の光スイッチ
【図１】
0003624242.tif 000002
【図２】
0003624242.tif 000003
【図３】
0003624242.tif 000004
【図４】
0003624242.tif 000005
【図５】
0003624242.tif 000006
【図６】
0003624242.tif 000007
【図７】
0003624242.tif 000008
【図８】
0003624242.tif 000009
【図９】
0003624242.tif 000010
【図１０】
0003624242.tif 000011
【図１１】
0003624242.tif 000012
【図１２】
0003624242.tif 000013
【図１３】
0003624242.tif 000014
【図１４】
0003624242.tif 000015